(57)【要約】【課題】  この発明は、磯または防波堤などの釣方で技術的に難しいダンゴの遠投が簡単に出来るようにウキに乗せて運び遠投を可能とし、特にダンゴの大きさの大小、そしてダンゴの包み方に神経を使わずともダンゴ放出ができ、当たりの感度も良いダンゴ遠投のウキを提供するものである。【解決手段】  ウキ本体（１）の周囲から下部の位置に、ダンゴを包む形状の固定枠（５）と弾力をウキの外方向に有する開閉枠（３）を取り付けた、そして固定枠（５）の端に係留部（７）を形成した、また開閉枠（３）の端に返し形状のストッパー（６）を形成した。【選択図】    図３
2006314309.tif 000002
【特許請求の範囲】
【請求項１】
ウキ本体（１）の周囲から下部の位置に、ダンゴを包む形状の固定枠（５）と、弾力をウキの外方向に有するダンゴを包む形状の開閉枠（３）を取り付けた、そして固定枠（５）の端に係留部（７）を形成した、また開閉枠（３）の端に返し形状のストッパー（６）を形成したことを特徴とするダンゴ遠投ウキ２。
【請求項２】
開閉枠（３）の代わりに超弾性合金線（２）を斜め下方に向けて取り付けた請求項１のダンゴ遠投ウキ２。
【請求項３】
開閉枠（３）の代わりに糸または紐（４）を取り付けた請求項１のダンゴ遠投ウキ２。
【請求項４】
固定枠（５）の代わりに超弾性合金線（２３）を取り付けた請求項１、請求項２、請求項３のダンゴ遠投ウキ２。
【発明の詳細な説明】
【技術分野】
【０００１】  この発明は、磯または防波堤などの釣方で技術的に難しいダンゴの遠投が簡単に出来るようにウキに乗せて運び遠投を可能とし、特にダンゴの大きさの大小、そしてダンゴの包み方に神経を使わずともダンゴ放出ができ、当たりの感度も良いダンゴ遠投のウキに関するものである。
【背景技術】
【０００２】  従来の技術では、ダンゴを手で持って投げるか、または柄杓の上に載せて投げていた。この場合の飛距離は１０メートル前後であった。また遠投しやすい柄杓も開発されていて、このような方法が主流である。
他にはダンゴをカゴに入れて遠投する方法もあるが、カゴ仕掛けではウキとして大事な感度が悪くなった。また合わせの瞬間などはカゴの重量と水中の移動抵抗で重く鈍重感があった、よって魚釣の楽しみの一つである合わせが楽しくなかった。
【特許文献１】
【０００３】  従来の技術でダンゴを運ぶウキとしては、平成１６年８月２７日出願の特願２００４−２８０６０１のダンゴ遠投ウキ１が出願されている。
ダンゴ遠投ウキ１では、簡単な機能でダンゴが遠投、放出できた。そしてダンゴを手で持って投げることが上手くいかない人でも、竿の弾力を利用しダンゴの遠投ができた。
またこの発明では、一定の大きさのダンゴは使用できて作用が上手く働いた。
しかし一般使用には、個人差があって、それより一回り大きい、または小さいものが有り、そのようなダンゴは使用できなかった。
また端糸とネットを注意して掛けていれば、ダンゴを遠投、放出が確実に出来た。
けれどもその動作は慣れが必用で、慣れるまで扱いが難しかった。
問題は、ダンゴに端糸とネットを深く掛けすぎてしまうと、最悪の場合ダンゴの放出ができなかった。
【発明の開示】
【発明が解決しようとする課題】
【０００４】    請求項１では、
一般に使用するダンゴにおいて、ダンゴの大きさは様々あるが、一般使用のダンゴの大きさにおいて、その個人差の大小を許容して包め、包んだダンゴを遠投し放出できること。
そしてダンゴを包む際の動作に慣れが必要なく、その動作を簡単に行えるようにして、扱いを簡単にすること。
またダンゴを包み遠投体勢にてダンゴが落ちず、遠投後に空中で、または着水してから確実に放出できること。
以上の他、ダンゴを柄杓の上に載せて投げても届かないポイントに、ウキに載せて釣竿の弾力で投げ込めること。
また個人差にもよるが２０メートルから３０メートル前後の飛距離を可能とすること。
魚の視界から遠い水面でダンゴを放出して、魚に警戒されず、餌のくい込みをよくすること。そして魚の引き、放した時の戻りが明確となりレスポンスをあげて当たりをとりやすくすること。
フカセウキに近い感覚が望めて、合わせを楽しみながら釣ができること。
その他、ウキの位置をスピーデーに確認できること。【０００５】    請求項２では、請求項１と同様に課題解決が出来ること。
また弾力を有する開閉部を別につけずとも同様の効果があること。
そして軽量で小型のウキが製造し易いこと、
また型枠のコストがかからず生産コストを抑えること。【０００６】    請求項３では、請求項１と同様に課題解決が出来ること。
そして弾力を有する開閉部を別につけなくとも同様の効果があること。
また水の抵抗を減らして仕掛けの巻き上げで、早巻きができること。
その他に水中移動抵抗も減らしウキ感度を上げること。
さらに低コストで製造すること。【０００７】    請求項４では、請求項１と同様に課題解決出来ること。
そして水中移動抵抗を減らして、ウキ感度を上げること。
またよりウキの位置をスピーデーに確認できること。
軽量で小型のウキが製造し易いこと。
また型枠のコストがかからず生産コストを抑えること。
【課題を解決するための手段】
【０００８】  本発明は上記課題を解決する為のもので、
請求項１では、ウキ本体（１）の周囲から下部の位置に、ダンゴを包む形状の固定枠（５）と、弾力をウキの外方向に有するダンゴを包む形状の開閉枠（３）を取り付けた、そして固定枠（５）の端に係留部（７）を形成した、また開閉枠（３）の端に返し形状のストッパー（６）を形成した。【０００９】  請求項２では、開閉枠（３）の代わりに超弾性合金線（２）を斜め下方に向けて取り付けた。【００１０】  請求項３では、開閉枠（３）の代わりに糸または紐（４）を取り付けた。【００１１】  請求項４では、固定枠（５）の代わりに超弾性合金線（２３）を取り付けた。
【発明の効果】
【００１２】  一般に使用するダンゴの大きさに個人差で大小があっても、極端な大きさでなければ、その全てを許容してダンゴを包むことができた。そしてそのダンゴを放出できるようになった。
またダンゴを包む際の動作に慣れが必要なくなり、そしてその動作を簡単に行えるようになったので、人に優しい製品ができた。
またダンゴに多少の凸凹があっても放出できるようになった。
他には、ネットを使用せず形状をより簡素化することができた。
以上の他、ダンゴを柄杓の上に載せて投げても届かないポイントに、ウキに載せて竿の弾力で投げ込めた。
また個人差にもよるが飛ばせる人で３０メートル前後の飛距離が、また飛ばせない人でも２０メートル前後の飛距離が可能となった。
魚の視界から遠い水面でダンゴを放出して、魚に警戒されなくなったので、餌のくい込みがよくなった。そして魚の引き、放した時の戻りのレスポンスが良く、当たりがとりやすくなった。
フカセウキに近い感覚で、合わせを楽しみながら釣ができた。
その他、ダンゴの放出を早く終わらせることが出来たので、ウキの位置をスピーデーに確認できるようなり、特に夕方扱い易くなった。【００１３】  請求項２では、請求項１と同様の効果があった。
また弾力を有する開閉部を別につけなくとも同様の効果があった。
また超弾性合金線は軽量であるので小型のウキが製造できるようになった。
また型枠のコストがかからず生産コストを抑えられた。【００１４】  請求項３では、請求項１と同様の効果があった。また弾力を有する開閉部を別につけなくともその効果があった。
そしてシンプルに、また低コストで製作できた。
その他に、曲線形状の開閉枠（３）を使用せず、糸または紐（４）を使用することで、魚の当たりによって形崩れし曲がったり、または真っ直ぐに延びたりするので、自由度があり水中移動抵抗が減少した。
また仕掛けの巻き上げで、早巻きができた。【００１５】  請求項４では、請求項１と同様の効果があった。
その他に、曲線形状の固定枠（５）を使用せず、直線の超弾性合金線（２）を使用することで水中移動抵抗が減少した。よってウキ感度を上げることが出来た。
また、超弾性合金線（２）は、曲線でダンゴの周囲をとりまいた状態から、ダンゴを放出するので、その弾力でダンゴは海面すれすれで飛び出す。よってよりウキの位置をスピーデーに確認できるようになった。とくに薄暗い夕方にウキの位置がすぐに判るので効果的であった。
また超弾性合金線は軽量であるので小型のウキが製造できるようになった。
他にも、型枠のコストがかからず生産コストを抑えられた。
【発明を実施するための最良の形態】
【００１６】  以下、本発明の構造について説明する。
請求項１では、構造を  図１、図２、に示すように、
ウキ本体（１）の周囲から下部の位置に、ダンゴを包む形状の固定枠（５）と弾力をウキの外方向に有するダンゴを包む形状の開閉枠（３）を取り付けた、そして固定枠（５）の端に係留部（７）を形成した、また開閉枠（３）の端に返し形状のストッパー（６）を形成した。
【実施例１】
【００１７】  固定枠（５）と開閉枠（３）は合成樹脂、または金属で成形した。またウキの材質は、木製または合成樹脂製、発泡樹脂、中空とした合成樹脂または金属で製作したが、他にも浮力を有する材質、形状であればよい。
また係留部（７）は道糸を通す穴であり、例を上げると、合成樹脂では、道糸通し穴を固定枠（５）の端に設けた、または固定枠（５）の端にカン付円筒カン（１４）を挿入した。その他、図１、図２に示すように係留部（７）を糸で結束しても良い。とにかく道糸が通る穴で滑りが悪くなければ形状、材質は問わない。
またスナップ付きスイベルを使用する場合は、それが付けられる穴であれば良い。【００１８】  固定枠（５）と開閉枠（３）のウキ本体（１）への取り付けは、木製等ではウキ本体（１）に穴を設けて挿入、接着して固定した。
その他、図１５に示すように、
中空とした合成樹脂または金属で製作した場合、ウキ本体（１）とウキ下方部に似せた下部取り付け体（２０）を形成し、そこに開閉枠（３）を挿入する穴を設け、挿入し接着剤で固定した。固定枠（５）のほうは溝のみ形成し、ビス止めし固定した。
またウキ本体（１）は下部取り付け体（２０）に挿入し接着材で固定した。
以上取り付け例をあげたが、取り付け方法は様々あるので、これに限定されない。【００１９】  図１６に示すように、
固定枠（５）の係留部（７）付近の長さは、ユウザーの好みにより錘を付加できるよう長めの設定とした。これにより例えば０．５号の設定のものを、マイナス０．４Ｂの錘をそこに付けると０．１号として使用できた。【００２０】  ストッパーの機能は簡単な機能によって、ダンゴを本発明に詰めて遠投する際に簡単に掛けられて、外れず確実に止められ、空中で着水前、または着水時に素早く確実に解除できるストッパーが必要である。そこで返し形状のストッパー（６）とした。
また竿の弾力により投げるときに、程度問題ではあるが不用意に動かしてしまっても開閉枠（３）が開かずダンゴは落ちなかった。
材質は金属、または合成樹脂で成形した。取り付けの方法は、図１６で示すように、返し形状のストッパー（６）の端の取り付け部分を円筒管形状として挿入接着した。また他の方法では図３で示すように、糸で結束し接着剤で補強した。尚、取り付け方法は様々あるのでこれに限定されない。
図１７で示すように、返し形状のストッパー（６）を曲線形状としても、同様の効果があった。構造は以上である。
【実施例２】
【００２１】  ストッパー（６）と弾力を有する開閉枠（３）を形成するまでの過程を以下に述べる、図１８に示すように、発案の当初、ストッパーは、フロートの動きによりそれを解除するフロートストッパー（２２）を固定枠（５）に取り付けた。そして弾力部の無い開閉枠（２９）を使用し実地試験した。
その使用方法は、固定枠（５）にダンゴを置き弾力部の無い開閉枠（２９）を閉じてから、ストッパー（２２）を固定枠（５）でスライドさせてストッパーを効かせた。それを遠投してみると、着水と同時に衝撃と浮力で、固定枠（５）を伝いスライドしてストッパーを解除し弾力部の無い開閉枠（２９）が開かれる予定であった。
その結果は、ストッパー（２２）が上手く機能せず、ダンゴと共に試作品の本発明は沈んでいった。
遠投数を増やしていくと、ストッパーを解除できることもあった。そして想定ではストッパーを解除後その状態より反転してダンゴの重みでそれを放出する予定であったが弾力部の無い開閉枠（２９）と固定枠（５）に引っ掛かりダンゴが外れず、そのまま沈んでいった。
そこで小さなフロートから、大きなフロートに代えてストッパーを解除するタイミングを早めれば上手くいくと思い再度テストしてみたら、結果は、ストッパーは解除できた。それにも係わらず試作品の本発明が反転してからも弾力部の無い開閉枠（２９）と固定枠（５）に引っ掛かりダンゴが外れず、そのまま沈んでいきダンゴを放出することはできなかった。
そこで弾力部の無い開閉枠（２９）には、ウキの外側に向けて弾力を有しなければダンゴ放出が出来ないと考え弾力を有する開閉枠（３）を用いてまた再度テストした。
しかし弾力を有する開閉枠（３）とすると、今度は大きめのストッパー（２２）が、その弾力によって解除できなくなった。
そこで弾力を有する開閉枠（３）を使用するとして、それを解除できるストッパーが必要になった。
そこで思考誤差の末、遠投終了間際には道糸が弛むことが判った、その原理からストッパーが出来ないかと考えた。そしてそれを利用した、返し形状のストッパー（６）を考え弾力を有する開閉枠（３）を使用してテストしたところ、遠投終了間際に糸が弛んだ際、ダンゴが飛び出して放出が出来た。【００２２】  図１で示すように、開閉枠（３）の弾力部は、ゴム製とした。
また、図１９で示すように、開閉枠（３）にバネを付けても効果は同様であった。【００２３】  以下、作用を述べる。
本発明を使用するにあたり仕掛け及び仕掛け取り付けについて、
図２０に示すように、本発明の仕掛けは、一般には誘導式仕掛けで、仕掛けの順番は、道糸（１２）に上から上部浮き止め（１１）、シモリ玉（１３）、そして本発明またはスナップ付スイベルを付けた本発明、下部浮き止め（８）、以上を通して、そこから３０センチ以上離し釣針（１７）をつける。【００２４】  本発明を使用するときは、
図９、図２０に示すように、釣針に付け餌をつけダンゴに入れる、そして本発明を下部浮き止め（８）の位置まで下げる、そして係留部（７）に下部浮き止め（８）を当てる、次に本発明を反転させたまま手の平に上げて持つ、そして反対の手でダンゴのハリスが出ている方を横にして持ち、固定枠（５）に載せ開閉枠（３）を閉める、そのまま本発明を竿尻の方に軽く引いて道糸を張り、下部浮き止め（８）を当てた反対側の道糸を張った状態のまま、返し形状のストッパー（６）に掛ける、この状態でダンゴは固定される。後は竿をもって本発明を吊り下げる。【００２５】  そして本発明を反転の状態で吊り下げたまま、リールを投げの状態に設定して投げる。
すると本発明はダンゴを包んだ状態でウキ本体（１）を先端にした姿勢で飛ぶ。
図２９に示すように、その後ウキ本体（１）の部分から着水に向う、その少し手前でリールより出ていた道糸の勢いが止まり道糸は弛む、その状態で返し形状のストッパー（６）から道糸は外れストッパーは解除される、そして開閉枠（３）はウキの外側に向けた弾力によって開く、本発明とダンゴはこの時、威勢がついていたものから失速の状態となり、それぞれの失速の状態が異なり本発明とダンゴが分かれ飛び出たような状態で放出される。
または遠投距離が短いと、着水と同時に道糸が弛み返し形状のストッパー（６）から道糸は外れストッパーは解除される、そして開閉枠（３）はウキの外側に向けた弾力によって開く、本発明とダンゴはこの時、水面で威勢がついていたものから失速の状態となり、それぞれの失速の状態が異なり本発明とダンゴが分かれダンゴは放出される。
ほとんどこの２通りの形態でダンゴは放出される。
その後、ダンゴは魚の居る棚に沈み、本発明は道糸をスライドし上部ウキ止め（１１）に係り水面を漂う。
ダンゴがバラケ終わると、魚が付け餌を食べてウキ本体（１）に反応がでる。
魚の当たりが無ければ、リールを巻いて本発明を上げて同じ動作を繰り返す。【００２６】    以上のように本発明は、
ダンゴの大きさには大小があっても返し形状のストッパー（６）によって開閉枠（３）の開き加減が異なり、極端な大きさでなければ、その全てを許容してダンゴを包むことができた。そしてそのダンゴを放出できるようになった。
よって一般に使用するダンゴの大きさに個人差で大小があっても、使用できるようになった。
またダンゴを包む際、開閉枠（３）を閉じ返し形状のストッパー（６）に道糸（１２）を掛けるだけなので、その動作を簡単に行えるようになった。
よって動作に慣れが必要なくなったので、人に優しい製品ができた。また合わせを楽しみながら釣ができた。
本発明で使用出きるダンゴの特徴は凸凹が少しあっても端糸とネットに引っ掛かる事は無くなったのでダンゴ放出になんら問題が無く、ダンゴの作り方がラフに出来るようになった。
ダンゴ放出後に枠だけであり形状をより簡素化することがでたので水中移動抵抗は少なく、フカセウキに近い感覚となる。その後魚が付け餌をくわえると、魚の当たりが明確にでる。そして魚の引き、放した時の戻りのレスポンスが良く、当たりがとりやすくなった。
また、カゴ等が装備されている状態と比較すると魚をかけた瞬間などは下部ウキ止めが下方にあるのでそこに当たらず鈍重な感覚がない。
以上の他、ダンゴを柄杓の上に載せて投げても届かないポイントに、ウキに載せて竿の弾力で投げ込めた。
また個人差にもよるが２０メートルから３０メートル前後の飛距離が可能となった。魚の視界から遠い水面でダンゴを放出しているので、魚に警戒されなくなったことで、餌のくい込みがよくなった。【００２７】請求項２では、図４に構造を示すように、
開閉枠（３）の代わりに超弾性合金線（２）を斜め下方に向けて取り付けた。
【実施例３】
【００２８】  超弾性合金線は、ダンゴを包み放出までの間、それを保持する際、曲がりの弾力の具合と、ダンゴ放出時の開閉において、その適正な弾力から０．３ミリのニッケルとチタンの合金を使用した。しかし材質および製造工程により弾力は変化するため、これは一例である。
また返し形状のストッパー（６）の超弾性合金線への取り付けは、返し形状のストッパー（６）の取り付け部を円筒管の形状として、挿入し接着材で固定した。
他には、糸で結束し固定し接着材で補強した。尚、取り付け方法は様々あるのでこれに限定されない。
超弾性合金線のウキへの取り付けは、木製等ではウキに穴を設けて、挿入し接着剤で固定した。
図２１に示すように、
中空とした合成樹脂または金属で製作した場合、ウキ本体（１）とウキ下方部に似せた下部取り付け体（２０）を形成し、そこに超弾性合金線（２）を挿入する穴を設け、挿入し接着剤で固定した。
またウキ本体（１）は下部取り付け体（２０）に挿入し接着材で固定した。
尚、取り付け方法は様々あるのでこれに限定されない。
その他に超弾性合金線（２）は、ダンゴを包む際にそこに触れる部分でウキ寄りの位置に合成樹脂製のチューブ、またはリリアン糸等を通しておくと、長い距離の遠投でもダンゴが壊れずらくなった。【００２９】  本発明は以上の構造からなるので本発明を使用するときは、請求項１とほぼ同様の使用方法で行う、そこで同様な内容が重なる為使用方法の一部は省略して説明する。
図４、図１０に示すように、まず本発明を下部浮き止め（８）の位置まで下げる、そして係留部（７）に下部浮き止め（８）を当てる、次に本発明を反転させたまま手の平に上げて持つ、そして反対の手でダンゴのハリスが出ている方を横にして持ち固定枠（５）に載せる。そして超弾性合金線（２）を閉める、すると超弾性合金線は弾力性が柔らかいのでダンゴにそって曲線に曲がる。
そしてそのまま本発明を竿尻の方に軽く引いて道糸を張り、下部浮き止め（８）を当てた反対側の道糸を張った状態のまま返し形状のストッパー（６）に掛ける、この状態で超弾性合金線（２）は曲がり枠と成り。ダンゴは固定される。その後はそのまま竿をもって本発明を吊り下げ投げる。【００３０】  本発明はダンゴを包んだ状態でウキ本体（１）を先端にした姿勢で飛ぶ、その後、ウキ本体（１）の部分から着水に向う、その少し手前でリールより出ていた道糸の勢いが止まり道糸は弛む、その状態で返し形状のストッパー（６）から道糸は外れストッパーは解除される、超弾性合金線（２）の枠はウキの外側に弾力が働き開く、本発明とダンゴはこの時、威勢がついていたものから失速の状態となり、それぞれの失速の状態が異なり本発明とダンゴが分かれ飛び出たような状態で放出される。
または遠投距離が短いと、着水と同時に道糸が弛み返し形状のストッパー（６）から道糸は外れストッパーは解除される、そして超弾性合金線（２）の枠はウキの外側に弾力で開く、本発明とダンゴはこの時、水面で威勢がついていたものから失速の状態となり、それぞれの失速の状態が異なり本発明とダンゴが分かれダンゴは放出される。【００３１】  以上のように請求項２では、請求項１と同様の効果があった。
また弾力を有する開閉部を別につけなくとも同様の効果があった。
そして超弾性合金線は軽量であるので小型のウキが製造できるようになった。
また型枠のコストがかからず生産コストを抑えられた。【００３２】  請求項３では、図５に構造を示すように、
開閉枠（３）の代わりに糸または紐（４）を取り付けた。
【実施例４】
【００３３】  糸または紐について一例を上げると、
糸または紐の区別は曖昧であり本発明で使用するものを大まかに区別して述べる。
通常使用として、糸は直径約１ミリから１．５ミリ、紐は約１．５ミリから３ミリで合成繊維の材質を使用したところ何の支障もなく上手くいった。
また、これ以下の細い糸でも感度重視で使用することが出来た。またこれ以上の太い紐は距離の長い遠投をしてもダンゴは壊れずらかった。
よって糸の太さはこれに限定されない。
また合成繊維の他、天然繊維でも水を含みずらい材質であれば使用できる。【００３４】  糸または紐（４）のウキへの取り付けは、木製等ではウキに穴を設けて、挿入し接着剤で固定した。
図２２に示すように、
中空とした合成樹脂または金属で製作した場合、ウキ本体（１）とウキ下方部に似せた下部取り付け体（２０）を形成し、そこに糸または紐（４）を挿入する穴を設け、その穴のウキに取り付く側を一回り大きくした。そしてそこに糸または紐（４）を挿入し結び目をつくり一回り大きくした部分に入れて固定し接着剤で補強した。
またウキ本体（１）は下部取り付け体（２０）に挿入し接着材で固定した。
尚、取り付け方法は様々あるのでこれに限定されない。
糸または紐（４）の返し形状のストッパー（６）への取り付けは、返し形状のストッパー（６）の取り付け部を円筒管の形状として、挿入し接着材で固定した。
他には、糸で結んで固定し接着材で補強した。尚、取り付け方法は様々あるのでこれに限定されない。【００３５】  本発明は以上の構造からなるので本発明を使用するときは、請求項１とほぼ同様の使用方法で行う、そこで同様な内容が重なる為使用方法の一部は省略して説明する。
図５、図１１に示すように、まず本発明を下部浮き止め（８）の位置まで下げる、そして係留部（７）に下部浮き止め（８）を当てる、次に本発明を反転させたまま手の平に上げて持つ、そして反対の手でダンゴのハリスが出ている方を横にして持ち、固定枠（５）に載せ糸または紐（４）をダンゴ伝いに被せる、すると糸または紐（４）は柔らかいのでダンゴにそって曲線に被せられる、そしてそのまま本発明を竿尻の方に軽く引いて道糸を張り、下部浮き止め（８）を当てた反対側の道糸を張った状態のまま返し形状のストッパー（６）に掛ける。この様にするとストッパーを掛けた状態では枠を閉めたのと同様の効果がある。この状態でダンゴは固定される、後はそのまま竿をもって本発明を吊り下げ投げる。【００３６】  本発明はダンゴを包んだ状態でウキ本体（１）を先端にした姿勢で飛ぶ、その後、ウキ本体（１）の部分から着水に向う、その少し手前でリールより出ていた道糸の勢いが止まり道糸は弛む、その状態で返し形状のストッパー（６）から道糸は外れストッパーは解除される、この状態で糸または紐（４）で構成された枠は型崩れしダンゴを抑える抵抗は無くなる、本発明とダンゴはこの時、威勢がついていたものから失速の状態となり、
それぞれの失速の状態が異なり本発明とダンゴが分かれ水面真際で飛び出たような状態で放出される。
または遠投距離が短いと、着水と同時に道糸が弛み返し形状のストッパー（６）から道糸は外れストッパーは解除される、この状態で糸または紐（４）で構成された枠は型崩れしダンゴを抑える抵抗は無くなる、本発明とダンゴはこの時、水面で威勢がついていたものから失速の状態となり、それぞれの失速の状態が異なり本発明とダンゴが分かれダンゴは放出される。【００３７】  以上のように請求項３では、請求項１と同様の効果があった。また弾力を有する開閉部を別につけなくともその効果があった。そしてシンプルに製作できた。
その他に、曲線形状の開閉枠（３）を使用せず、糸または紐（４）を使用することで真っ直ぐ海底方向に延びたりまたは魚の当たりによって形崩れし曲がったりするので、
自由度があり水中移動抵抗が減少しウキ感度を上げられた。また水の抵抗を減らして仕掛けの巻き上げの早巻きができた。その他、型枠を使用しない分、低コストとなった。【００３８】  請求項４では、図６に示すように、
固定枠（５）の代わりに超弾性合金線（２３）を取り付けた。
【実施例５】
【００３９】  超弾性合金線は、請求項２と同様のものを使用した、それはダンゴを包み放出までの間、それを保持する際、曲がりの弾力の具合と、ダンゴの放出の際、その適正な弾力から０．３ミリのニッケルとチタンの合金を使用した。しかし材質および製造工程により弾力は変化するため、これは一例である。
また超弾性合金線への係留部（７）の取り付けは、係留部（７）の取り付け部を円筒管の形状として、挿入し接着材で固定した。
他には、糸で結束して固定し接着材で補強した。尚、取り付け方法は様々あるのでこれに限定されない。
超弾性合金線のウキへの取り付けは、木製等ではウキに穴を設けて、挿入し接着剤で固定した。
図２５に示すように、
中空とした合成樹脂または金属で製作した場合、ウキ本体（１）とウキ下方部に似せた下部取り付け体（２０）を形成し、そこに超弾性合金線（２３）を挿入する穴を設け、その穴のすぐ近くに凸（２１）を形成し、凸（２１）にはビス穴を設けておく。
次は、下部取り付け体（２０）の穴に超弾性合金線（２３）を挿入し、その凸（２１）と超弾性合金線（２３）とを合わせ中空管（２７）で仮止めして、その凸（２１）のビス穴にビスを挿入し圧着固定した。またはビスを使用せず中空管（２７）内を接着剤で固定した。
またウキ本体（１）は下部取り付け体（２０）に挿入し接着材で固定した。
超弾性合金線（２３）は、ウキ中心に向け約２度、３度傾けると、係留部（７）がウキ中心にいった。
また図２７で示すように、超弾性合金線（２３）を中心付近に取り付けても同様の効果があった。
尚、取り付け方法は様々あるのでこれに限定されない。
その他に超弾性合金線（２３）は、ダンゴを包む際にそこに触れる部分でウキ寄りの位置に合成樹脂製のチューブ、またはリリアン糸等を通しておくと、長い距離の遠投でもダンゴが壊れなくなった。【００４０】  本発明は以上の構造からなるので本発明を使用するときは、請求項１とほぼ同様の使用方法で行う、そこで同様な内容が重なる為使用方法の一部は省略して説明する。
図６、図１２に示すように、まず本発明を下部浮き止め（８）の位置まで下げる、そして係留部（７）に下部浮き止め（８）を当てる、次に本発明を反転させたまま手の平に上げて持つ、そして反対の手でダンゴのハリスが出ている方を横にして持ち、固定枠（５）の変わりに付けた超弾性合金線（２３）に載せ開閉枠（３）を閉める、その後はそのまま本発明を竿尻の方に軽く引いて道糸を張り、下部浮き止め（８）を当てた反対側の道糸を張った状態のまま返し形状のストッパー（６）に掛ける。すると超弾性合金線は弾力性が柔らかいのでダンゴにそって曲線に曲がり枠の代わりとなった。その状態でダンゴは固定される、そして竿をもって本発明を吊り下げ投げる。【００４１】  本発明はダンゴを包んだ状態でウキ本体（１）を先端にした姿勢で飛ぶ、その後、ウキ本体（１）の部分から着水に向う、その少し手前でリールより出ていた道糸の勢いが止まり道糸は弛む、その状態で返し形状のストッパー（６）から道糸は外れストッパーは解除され開閉枠（３）はウキの外側に向けた弾力によって開く、そして同時に超弾性合金線（２３）は弾力がダンゴを押し出す方向に働く、本発明とダンゴはこの時、威勢がついていたものから失速の状態となり、それぞれの失速の状態が異なり、超弾性合金線（２３）の弾力を足して本発明とダンゴが分かれ飛び出たような状態で放出される。
また遠投距離が短くとも、上記したように放出する。【００４２】  請求項４では、請求項１と同様の効果があった。
その他に、曲線形状の固定枠（５）を使用せず、直線の超弾性合金線（２）を使用することで水中移動抵抗が減少した。
また、超弾性合金線（２）は、曲線でダンゴの周囲をとりまいた状態から、ダンゴを放出するので、その弾力でダンゴは水面すれすれで飛び出す。よってよりウキの位置をスピーデーに確認できるようになった。とくに薄暗い夕方にウキの位置がすぐに判るので効果的であった。
また超弾性合金線は軽量であるので小型のウキが製造できるようになった。
また型枠のコストがかからず生産コストを抑えられた。【００４３】  本発明は、もう片方を請求項１の開閉枠（３）を取り付けた他に、図７、図１３で示すように、請求項２の超弾性合金線（２）を取り付けた。
また図８、図１４で示すように、請求項３の糸または紐（４）を取り付けた。
それは上記したのと同様の効果のほか、超弾性合金線（２）と糸または紐（４）を組み合わせることによって、軽量のウキが製造できた。
また糸または紐（４）の組み合わせでは、最も感度良いウキが製造できた。【００４４】  図２３、図２４、図２６、図２８、図３０、図３１に示すように、本発明でウキの形状は、どんぐり型の他にも棒ウキでも実施できた。
【図面の簡単な説明】
【００４５】
【図１】  本発明、請求項１の正面図
【図２】  本発明、請求項１の側面図
【図３】  本発明の実施例、請求項１の斜視図
【図４】  本発明、請求項２の斜視図
【図５】  本発明、請求項３の斜視図
【図６】  本発明、請求項４の斜視図
【図７】  本発明の実施例、請求項４の開閉枠の代わりに超弾性合金線を使用した斜視図
【図８】  本発明の実施例、請求項４の開閉枠の代わりに糸または紐を使用した斜視図
【図９】  本発明の実施例，請求項１のダンコを吊るした状態を示す斜視図
【図１０】  本発明の実施例、請求項２のダンコを吊るした状態を示す斜視図
【図１１】  本発明の実施例、請求項３のダンコを吊るした状態を示す斜視図
【図１２】  本発明の実施例、請求項４のダンコを吊るした状態を示す斜視図
【図１３】  本発明の実施例、請求項４の開閉枠の代わりに超弾性合金線を使用しダンコを吊るした状態を示す斜視図
【図１４】  本発明の実施例、請求項４の開閉枠の代わりに糸または紐を使用しダンコを吊るした状態を示す斜視図
【図１５】  本発明の実施例、請求項１の中空とした合成樹脂または金属で製作したウキと、ウキ下方部に似せた下部取り付け体に、固定枠と開閉枠を取り付けた説明図
【図１６】  本発明の実施例、固定枠の係留部よりに錘を付加した斜視図
【図１７】  本発明の実施例、返し形状のストッパーを曲線形状とした側面図
【図１８】  本発明の実施例、請求項１のストッパーをフロートのストッパーとした側面図
【図１９】  本発明の実施例、開閉枠（３）の弾力をバネとした斜視図
【図２０】  本発明の実施例、仕掛けの説明図
【図２１】  本発明の実施例、請求項２の中空とした合成樹脂または金属で製作したウキと、ウキ下方部に似せた下部取り付け体に、固定枠と超弾性合金線を取り付けた説明図
【図２２】  本発明の実施例、請求項３の中空とした合成樹脂または金属で製作したウキと、ウキ下方部に似せた下部取り付け体に、糸または紐を取り付けた説明図
【図２３】  本発明の実施例、棒ウキの側面図
【図２４】  本発明の実施例、超弾性合金線を使用した棒ウキの側面図
【図２５】  本発明の実施例、請求項４の中空とした合成樹脂または金属で製作したウキと、ウキ下方部に似せた下部取り付け体に、固定枠の代わりとして超弾性合金線取り付けた説明図
【図２６】  本発明の実施例、開閉枠の代わりとして糸または紐を使用した棒ウキの側面図
【図２７】  本発明の実施例、請求項４の超弾性合金線を中心よりに取り付けた斜視図
【図２８】  本発明の実施例、固定枠の代わりとして超弾性合金線を使用し、また開閉枠の代わりとして糸または紐を使用した棒ウキの側面図
【図２９】  空中にてダンゴの放出状態を示す説明図
【図３０】  本発明の実施例、固定枠の代わりとして超弾性合金線を使用し、また開閉枠を使用した棒ウキの側面図
【図３１】  本発明の実施例、固定枠の代わりとして超弾性合金線を使用し、また開閉枠の代わりとして超弾性合金線を使用した棒ウキの側面図
【符号の説明】
【００４６】  １ウキ本体、  ２超弾性合金線、  ３開閉枠、  ４糸または紐、  ５固定枠、  ６返し形状のストッパー、  ７係留部、  ８下部ウキ止め、  ９弾力部、  １０棒ウキ、  １１上部ウキ止め、  １２道糸、  １３シモリ玉、  １４カン付円筒管、  １５折り曲げて形成したリング、  １６円筒管、  １７釣針、  １８開閉部、  １９結束部、  ２０下部取り付け体、  ２１凸、  ２２フロートストッパー、  ２３固定枠の変わりに付けた超弾性合金線、  ２４錘、２５曲線形状のストッパー、  ２６バネの弾力部、  ２７中空管、  ２８水面、  ２９弾力部の無い開閉枠、  ３０ハリス、  ３１結び目、  ３２ダンゴ
【図１】
2006314309.tif 000003
【図２】
2006314309.tif 000004
【図３】
2006314309.tif 000005
【図４】
2006314309.tif 000006
【図５】
2006314309.tif 000007
【図６】
2006314309.tif 000008
【図７】
2006314309.tif 000009
【図８】
2006314309.tif 000010
【図９】
2006314309.tif 000011
【図１０】
2006314309.tif 000012
【図１１】
2006314309.tif 000013
【図１２】
2006314309.tif 000014
【図１３】
2006314309.tif 000015
【図１４】
2006314309.tif 000016
【図１５】
2006314309.tif 000017
【図１６】
2006314309.tif 000018
【図１７】
2006314309.tif 000019
【図１８】
2006314309.tif 000020
【図１９】
2006314309.tif 000021
【図２０】
2006314309.tif 000022
【図２１】
2006314309.tif 000023
【図２２】
2006314309.tif 000024
【図２３】
2006314309.tif 000025
【図２４】
2006314309.tif 000026
【図２５】
2006314309.tif 000027
【図２６】
2006314309.tif 000028
【図２７】
2006314309.tif 000029
【図２８】
2006314309.tif 000030
【図２９】
2006314309.tif 000031
【図３０】
2006314309.tif 000032
【図３１】
2006314309.tif 000033